(57)【要約】【課題】水道水が浄化部を通過した量の積算量を精度よく測定することができる給水栓を提供すること。【解決手段】給水栓は、水を吐水する吐水口を備えた吐水部と、吐水部が設けられた本体部とを備えた給水栓であって、本体部は、給水管から供給された水である水道水を吐水部に供給する第１流路を備え、吐水部は、水道水を浄化する浄化部と、第１流路から供給された水道水を吐水口に供給する第２流路と、第１流路から供給された水道水を浄化部に供給する第３流路と、浄化部によって浄化された水道水である浄水を吐水口に供給する第４流路と、吐水口から吐水させる水を、第２流路によって供給された水道水と第４流路によって供給された浄水とのいずれかに切り替える切替部と、を備え、給水栓は、吐水口から吐水された浄水の流量である浄水流量を測定する測定装置を備える。【選択図】図１
2020105735.tif 000002
【特許請求の範囲】
【請求項１】
水を吐水する吐水口を備えた吐水部と、前記吐水部が設けられた本体部とを備えた給水栓であって、
前記本体部は、
給水管から供給された水である水道水を前記吐水部に供給する第１流路を備え、
前記吐水部は、
前記水道水を浄化する浄化部と、
前記第１流路から供給された前記水道水を前記吐水口に供給する第２流路と、
前記第１流路から供給された前記水道水を前記浄化部に供給する第３流路と、
前記浄化部によって浄化された前記水道水である浄水を前記吐水口に供給する第４流路と、
前記吐水口から吐水させる水を、前記第２流路によって供給された前記水道水と前記第４流路によって供給された前記浄水とのいずれかに切り替える切替部と、
を備え、
前記給水栓は、
前記吐水口から吐水された前記浄水の流量である浄水流量を測定する測定装置を備える、
給水栓。
【請求項２】
前記本体部は、
前記測定装置を備え、
前記測定装置は、
前記第１流路を流れる前記水道水の流量である水道水流量を検出する第１流量検出部と、
前記第１流量検出部により検出された前記水道水流量に基づいて、前記浄水流量を測定する第１制御装置と、
を備える、
請求項１に記載の給水栓。
【請求項３】
前記本体部は、
前記第１流路を流れる前記水道水の圧力を検出する圧力検出部を備え、
前記第１制御装置は、
前記圧力検出部によって検出された圧力と、前記第１流量検出部によって検出された前記水道水流量とに基づいて、前記吐水口から吐水された水が前記浄水であるか否かを判定し、当該水が前記浄水であると判定した場合、前記第１流量検出部によって検出された前記水道水流量を前記浄水流量として測定する、
請求項２に記載の給水栓。
【請求項４】
前記第１制御装置は、
前記第１流路を流れる前記水道水の圧力と、前記第１流路を流れる前記水道水の圧力に応じた流量であって前記吐水口から前記浄水が吐水された場合における前記水道水流量とが対応付けられた情報と、
前記第１流量検出部によって検出された前記水道水流量と、
前記圧力検出部によって検出された圧力と、
に基づいて前記吐水口から吐水された水が前記浄水であるか否かを判定する、
請求項３に記載の給水栓。
【請求項５】
前記第１制御装置は、前記圧力検出部によって検出された圧力に応じて前記水道水流量の上限及び下限を導出し、導出した前記上限から前記下限までの範囲内に、前記第１流量検出部によって検出された前記水道水流量が含まれる場合、前記吐水口から吐水された水が前記浄水であると判定し、前記第１流量検出部によって検出された前記水道水流量を前記浄水流量として測定する、
請求項３に記載の給水栓。
【請求項６】
前記本体部は、
前記第１流路から前記第２流路及び前記第３流路への前記水道水の流れを塞ぐことが可能な水栓部と、
前記水栓部の開度を検出する開度検出部と、
を備え、
前記第１制御装置は、
前記開度と、前記開度に応じた流量であって前記吐水口から前記浄水が吐水された場合における前記水道水流量とが対応付けられた情報と、
前記開度検出部により検出された前記開度と、
前記第１流量検出部により検出された前記水道水流量と、
に基づいて前記吐水口から吐水された水が前記浄水であるか否かを判定する、
請求項２から５のうちいずれか一項に記載の給水栓。
【請求項７】
前記吐水部は、前記切替部によって前記吐水口から吐水させる水が、前記第２流路によって供給された前記水道水と前記第４流路によって供給された前記浄水とのいずれに切り替えられているかを検出する切替検出部を備え、
前記第１制御装置は、前記切替検出部によって検出された結果に基づいて、前記第１流量検出部によって検出された前記水道水流量を前記浄水流量として測定する、
請求項２に記載の給水栓。
【請求項８】
前記吐水部は、前記測定装置を備え、
前記測定装置は、前記第４流路を流れる前記浄水の流量である浄水流量と前記第３流路を流れる前記浄化部に供給される前記水道水の流量とのうちの少なくとも１つを検出する第２流量検出部を備える、
請求項１に記載の給水栓。
【請求項９】
前記本体部又は前記吐水部は、前記第２流量検出部から前記浄水流量を示す浄水流量情報を取得する第２制御装置を備える、
請求項８に記載の給水栓。
【請求項１０】
前記吐水部又は前記本体部は、前記測定装置によって測定された前記浄水流量を示す情報を報知する報知部を備える、
請求項１から９のうちいずれか一項に記載の給水栓。
【請求項１１】
前記吐水部又は前記本体部は、前記測定装置によって測定された前記浄水流量を示す情報を他の装置に出力する出力部を備える、
請求項１から１０のうちいずれか一項に記載の給水栓。
【請求項１２】
前記本体部は、
前記第１流路から前記第２流路及び前記第３流路への前記水道水の流れを塞ぐことが可能な水栓部と、
前記水栓部の開度を検出する開度検出部と、
を備え、
前記第１制御装置は、
前記開度検出部により検出された前記開度に基づいて前記吐水口から吐水された水が前記浄水であるか否かを判定し、当該水が前記浄水であると判定した場合、前記第１流量検出部によって検出された前記水道水流量を前記浄水流量として測定する、
請求項２に記載の給水栓。
【請求項１３】
水を吐水する吐水口を備えた吐水部と、前記吐水部が設けられた本体部とを備えた給水栓であって、前記本体部は、給水管から供給された水である水道水を前記吐水部に供給する第１流路を備え、前記吐水部は、前記水道水を浄化する浄化部と、前記第１流路から供給された前記水道水を前記吐水口に供給する第２流路と、前記第１流路から供給された前記水道水を前記浄化部に供給する第３流路と、前記浄化部によって浄化された前記水道水である浄水を前記吐水口に供給する第４流路と、前記吐水口から吐水させる水を、前記第２流路によって供給された前記水道水と前記第４流路によって供給された前記浄水とのいずれかに切り替える切替部と、を備えた前記給水栓に備えられ、前記吐水口から吐水された前記浄水の流量である浄水流量を測定する、
測定装置。
【発明の詳細な説明】
【技術分野】
【０００１】
この発明は、給水栓、及び測定装置に関する。
【背景技術】
【０００２】
給水管から供給された水である水道水を、水道水を使用する場所（例えば、台所等）に給水する給水栓に関する技術の研究や開発が行われている。
【０００３】
これに関し、シンクの下側に設けられた浄水器により浄化された水道水を吐水する給水栓が知られている（特許文献１参照）。また、浄水器と一体に構成された給水栓が知られている（特許文献２参照）。
【先行技術文献】
【特許文献】
【０００４】
【特許文献１】特開２０１７−０２９９２４号公報
【特許文献２】特開２０１２−００２０２７号公報
【発明の概要】
【発明が解決しようとする課題】
【０００５】
ここで、浄水器は、水道水を浄化する浄化部を備えている。浄化部には、水道水の浄化を行うほど、水道水から浄化部が取り除いた物質が蓄積される。このため、浄化部は、水道水を浄化する能力が低下していく。このため、浄水器では、浄化部は、交換可能であり、水道水を浄化する能力の低下に応じて交換される。ここで、浄水器は、浄水器に浄化部が取り付けられてからの経過時間が予め決められた期間を超えた場合、当該浄化部の当該能力が低下したと判定する。すなわち、浄水器は、浄化部に当該物質が蓄積された量が予め決められた閾値を超えたか否かを、浄水器に浄化部が取り付けられてからの経過時間が予め決められた期間を超えたか否かによって判定する。予め決められた閾値は、浄化部が当該物質を水道水から取り除くことができなくなる量に応じて決められる値である。しかしながら、浄水器において浄化部を実際に使用した時間は、浄水器に浄化部が取り付けられてからの経過時間内において、ユーザー毎に異なる。このため、浄水器は、水道水が浄化部を通過した量の積算量を精度よく測定することができなかった。その結果、ユーザーは、浄水器を利用している期間において、必要以上に浄化部の交換を行ってしまう場合があった。あるいは、ユーザーは、浄水器を利用している期間において、浄化部が水道水を浄化出来なくなってしまった後であっても使用し続けてしまう場合があった。このような問題は、上記の特許文献１に記載されたような従来の浄水器のみならず、上記の特許文献２に記載されたような浄水器と一体に構成された給水栓にも存在する。
【０００６】
そこで本発明は、上記従来技術の問題に鑑みてなされたものであり、水道水が浄化部を通過した量の積算量を精度よく測定することができる給水栓、及び測定装置を提供する。
【課題を解決するための手段】
【０００７】
本発明は、以下の構成を有する。
［１］水を吐水する吐水口を備えた吐水部と、前記吐水部が設けられた本体部とを備えた給水栓であって、前記本体部は、給水管から供給された水である水道水を前記吐水部に供給する第１流路を備え、前記吐水部は、前記水道水を浄化する浄化部と、前記第１流路から供給された前記水道水を前記吐水口に供給する第２流路と、前記第１流路から供給された前記水道水を前記浄化部に供給する第３流路と、前記浄化部によって浄化された前記水道水である浄水を前記吐水口に供給する第４流路と、前記吐水口から吐水させる水を、前記第２流路によって供給された前記水道水と前記第４流路によって供給された前記浄水とのいずれかに切り替える切替部と、を備え、前記給水栓は、前記吐水口から吐水された前記浄水の流量である浄水流量を測定する測定装置を備える、給水栓。
【０００８】
［２］前記本体部は、前記測定装置を備え、前記測定装置は、前記第１流路を流れる前記水道水の流量である水道水流量を検出する第１流量検出部と、前記第１流量検出部により検出された前記水道水流量に基づいて、前記浄水流量を測定する第１制御装置と、を備える、［１］に記載の給水栓。
【０００９】
［３］前記本体部は、前記第１流路を流れる前記水道水の圧力を検出する圧力検出部を備え、前記第１制御装置は、前記圧力検出部によって検出された圧力と、前記第１流量検出部によって検出された前記水道水流量とに基づいて、前記吐水口から吐水された水が前記浄水であるか否かを判定し、当該水が前記浄水であると判定した場合、前記第１流量検出部によって検出された前記水道水流量を前記浄水流量として測定する、［２］に記載の給水栓。
【００１０】
［４］前記第１制御装置は、前記第１流路を流れる前記水道水の圧力と、前記第１流路を流れる前記水道水の圧力に応じた流量であって前記吐水口から前記浄水が吐水された場合における前記水道水流量とが対応付けられた情報と、前記第１流量検出部によって検出された前記水道水流量と、前記圧力検出部によって検出された圧力と、に基づいて前記吐水口から吐水された水が前記浄水であるか否かを判定する、［３］に記載の給水栓。
【００１１】
［５］前記第１制御装置は、前記圧力検出部によって検出された圧力に応じて前記水道水流量の上限及び下限を導出し、導出した前記上限から前記下限までの範囲内に、前記第１流量検出部によって検出された前記水道水流量が含まれる場合、前記吐水口から吐水された水が前記浄水であると判定し、前記第１流量検出部によって検出された前記水道水流量を前記浄水流量として測定する、［３］に記載の給水栓。
【００１２】
［６］前記本体部は、前記第１流路から前記第２流路及び前記第３流路への前記水道水の流れを塞ぐことが可能な水栓部と、前記水栓部の開度を検出する開度検出部と、を備え、前記第１制御装置は、前記開度と、前記開度に応じた流量であって前記吐水口から前記浄水が吐水された場合における前記水道水流量とが対応付けられた情報と、前記開度検出部により検出された前記開度と、前記第１流量検出部により検出された前記水道水流量と、に基づいて前記吐水口から吐水された水が前記浄水であるか否かを判定する、［２］から［５］のうちいずれか一項に記載の給水栓。
【００１３】
［７］前記吐水部は、前記切替部によって前記吐水口から吐水させる水が、前記第２流路によって供給された前記水道水と前記第４流路によって供給された前記浄水とのいずれに切り替えられているかを検出する切替検出部を備え、前記第１制御装置は、前記切替検出部によって検出された結果に基づいて、前記第１流量検出部によって検出された前記水道水流量を前記浄水流量として測定する、［２］に記載の給水栓。
【００１４】
［８］前記吐水部は、前記測定装置を備え、前記測定装置は、前記第４流路を流れる前記浄水の流量である浄水流量と前記第３流路を流れる前記浄化部に供給される前記水道水の流量とのうちの少なくとも１つを検出する第２流量検出部を備える、［１］に記載の給水栓。
【００１５】
［９］前記本体部又は前記吐水部は、前記第２流量検出部から前記浄水流量を示す浄水流量情報を取得する第２制御装置を備える、［８］に記載の給水栓。
【００１６】
［１０］前記吐水部又は前記本体部は、前記測定装置によって測定された前記浄水流量を示す情報を報知する報知部を備える、［１］から［９］のうちいずれか一項に記載の給水栓。
【００１７】
［１１］前記吐水部又は前記本体部は、前記測定装置によって測定された前記浄水流量を示す情報を他の装置に出力する出力部を備える、［１］から［１０］のうちいずれか一項に記載の給水栓。
【００１８】
［１２］前記本体部は、前記第１流路から前記第２流路及び前記第３流路への前記水道水の流れを塞ぐことが可能な水栓部と、前記水栓部の開度を検出する開度検出部と、を備え、前記第１制御装置は、前記開度検出部により検出された前記開度に基づいて前記吐水口から吐水された水が前記浄水であるか否かを判定し、当該水が前記浄水であると判定した場合、前記第１流量検出部によって検出された前記水道水流量を前記浄水流量として測定する、［２］に記載の給水栓。
【００１９】
［１３］水を吐水する吐水口を備えた吐水部と、前記吐水部が設けられた本体部とを備えた給水栓であって、前記本体部は、給水管から供給された水である水道水を前記吐水部に供給する第１流路を備え、前記吐水部は、前記水道水を浄化する浄化部と、前記第１流路から供給された前記水道水を前記吐水口に供給する第２流路と、前記第１流路から供給された前記水道水を前記浄化部に供給する第３流路と、前記浄化部によって浄化された前記水道水である浄水を前記吐水口に供給する第４流路と、前記吐水口から吐水させる水を、前記第２流路によって供給された前記水道水と前記第４流路によって供給された前記浄水とのいずれかに切り替える切替部と、を備えた前記給水栓に備えられ、前記吐水口から吐水された前記浄水の流量である浄水流量を測定する、測定装置。
【発明の効果】
【００２０】
本発明の給水栓、及び測定装置を用いれば、水道水が浄化部を通過した量の積算量を精度よく測定することができる。
【図面の簡単な説明】
【００２１】
【図１】第１実施形態に係る給水栓１の構成の一例を示す図である。
【図２】測定装置１３が浄水流量を測定する処理の流れの一例を示す図である。
【図３】第１流路Ｐ１を流れる水道水の圧力と、第１流路Ｐ１を流れる水道水の圧力に応じた流量であって水道水が吐水口１０１から吐水された場合における水道水流量と、第１流路Ｐ１を流れる水道水の圧力に応じた流量であって吐水口１０１から浄水が吐水された場合における水道水流量とが対応付けられたテーブルである。
【図４】図３に示したテーブルに基づくグラフの一例である。
【図５】第２実施形態に係る給水栓２の構成の一例を示す図である。
【図６】測定装置２３が浄水流量を測定する処理の流れの一例を示す図である。
【図７】測定装置２３を備える吐水部２１の外観の一例を示す図である。
【発明を実施するための形態】
【００２２】
＜第１実施形態＞
以下、本発明の第１実施形態について、図面を参照して説明する。
【００２３】
＜給水栓の概要＞
まず、第１実施形態に係る給水栓の概要について説明する。
【００２４】
給水栓は、水を吐水する吐水口を備えた吐水部と、吐水部が設けられた本体部とを備える。また、本体部は、給水管から供給された水である水道水を吐水部に供給する第１流路を備える。また、吐水部は、水道水を浄化する浄化部と、第１流路から供給された水道水を吐水口に供給する第２流路と、第１流路から供給された水道水を浄化部に供給する第３流路と、浄化部によって浄化された水道水である浄水を吐水口に供給する第４流路と、吐水口から吐水させる水を、第２流路によって供給された水道水と第４流路によって供給された浄水とのいずれかに切り替える切替部と、を備える。また、給水栓は、吐水口から吐水された浄水の流量である浄水流量を測定する測定装置を備える。これにより、給水栓は、水道水が浄化部を通過した量の積算量を精度よく測定することができる。
【００２５】
以下では、このような給水栓の構成と、測定装置が行う処理とのそれぞれについて詳しく説明する。
【００２６】
＜給水栓の構成＞
以下、図１を参照し、給水栓１の構成について説明する。図１は、第１実施形態に係る給水栓１の構成の一例を示す図である。
【００２７】
第１実施形態に係る給水栓１は、水を浄化する浄水器と一体に構成された給水栓である。具体的には、給水栓１は、本体部１０と、本体部１０に設けられた吐水部１１を備える。また、本体部１０は、第１流路Ｐ１と、水栓部１２と、測定装置１３と、圧力検出部１４を備える。また、吐水部１１は、浄化部１５と、第２流路Ｐ２と、第３流路Ｐ３と、第４流路Ｐ４と、吐水口１０１と、切替部１０２を備える。
【００２８】
本体部１０は、例えば、円筒形状の筐体を有する。本体部１０は、当該筐体の内側に、第１流路Ｐ１と、測定装置１３と、圧力検出部１４とを備える。なお、当該筐体の形状は、円筒形状に代えて、直方体形状等の他の形状であってもよい。本体部１０は、前述の本体部の一例である。
【００２９】
第１流路Ｐ１は、外部の給水管から供給された水である水道水を、吐水部１１に供給する給水管によって形成された流路である。本体部１０の内部において当該給水管が引き回される経路（すなわち、第１流路Ｐ１の形状）は、吐水部１１に当該水道水を供給可能な経路であれば、如何なる経路であってもよい。第１流路Ｐ１は、前述の第１流路の一例である。
【００３０】
水栓部１２は、第１流路Ｐ１から吐水部１１（具体的には、第２流路Ｐ２及び第３流路Ｐ３）への水道水の流れを塞ぐことが可能な栓である。水栓部１２は、水栓部１２が閉じた状態からユーザーによる操作によって水栓部１２が開かれた状態へ遷移した場合、第１流路Ｐ１から吐水部１１へ水道水の流れを開く（すなわち、第１流路Ｐ１から吐水部１１へ水道水を流す）。一方、水栓部１２は、水栓部１２が開いた状態からユーザーによる操作によって水栓部１２が閉じられた状態へ遷移した場合、第１流路Ｐ１から吐水部１１への水道水の流れを塞ぐ（すなわち、第１流路Ｐ１から吐水部１１へ水道水を流さない）。また、水栓部１２は、ユーザーによる操作に応じて水栓部１２の開度が変更された場合、変更された開度に応じた量の水道水を第１流路Ｐ１から吐水部１１へ流す。
【００３１】
測定装置１３は、水栓部１２が開かれた場合に第１流路Ｐ１を流れる水道水の流量である水道水流量を測定する。そして、測定装置１３は、測定した水道水流量と、後述する圧力検出部１４から取得した圧力情報とに基づいて、後述する浄水が前述の吐水口１０１から吐水された流量である浄水流量を測定する。測定装置１３は、測定した浄水流量を示す浄水流量情報を記憶する。測定装置１３の構成については、後述する。測定装置１３は、前述の測定装置の一例である。
【００３２】
圧力検出部１４は、水栓部１２が開かれた場合に第１流路Ｐ１を流れる水道水の圧力を検出する。圧力検出部１４は、検出した圧力を示す圧力情報を測定装置１３に出力する。なお、圧力検出部１４は、測定装置１３と一体に構成されてもよい。
【００３３】
吐水部１１は、給水栓１が有する部材のうち水道水又は浄水を吐水する部材である。前述した通り、吐水部１１は、本体部１０に設けられる。吐水部１１は、前述の吐水部の一例である。
【００３４】
浄化部１５は、水道水を浄化する。浄化部１５は、例えば、第３流路Ｐ３と第４流路Ｐ４との間に備えられることによって第３流路Ｐ３から第４流路Ｐ４へと流れる水道水を浄化するカートリッジである。すなわち、浄化部１５は、吐水部１１において交換可能な部材である。なお、浄化部１５は、当該カートリッジに代えて、第３流路Ｐ３と第４流路Ｐ４との間に備えられることによって第３流路Ｐ３から第４流路Ｐ４へと流れる水道水を浄化する他の部材であってもよい。ここで、浄化部１５の構造、浄化部１５において水道水を浄化する素材についての構成は、既知の構成であってもよく、これから開発される構成であってもよいため、説明を省略する。浄化部１５は、前述の浄化部の一例である。
【００３５】
第２流路Ｐ２は、第１流路Ｐ１から供給された水道水を吐水口１０１に供給する給水管によって形成された流路である。すなわち、第２流路Ｐ２は、本体部１０が備える第１流路Ｐ１から分岐された流路である。吐水部１１の内部において当該給水管が引き回される経路（すなわち、第２流路Ｐ２の形状）は、第１流路Ｐ１から吐水口１０１に当該水道水を供給可能な経路であれば、如何なる経路であってもよい。第２流路Ｐ２は、前述の第２流路の一例である。
【００３６】
第３流路Ｐ３は、第１流路Ｐ１から供給された水道水を浄化部１５に供給する給水管によって形成された流路である。すなわち、第３流路Ｐ３は、本体部１０が備える第１流路Ｐ１から分岐された流路である。吐水部１１の内部において当該給水管が引き回される経路（すなわち、第３流路Ｐ３の形状）は、第１流路Ｐ１から浄化部１５に当該水道水を供給可能な経路であれば、如何なる経路であってもよい。第３流路Ｐ３は、前述の第３流路の一例である。
【００３７】
第４流路Ｐ４は、浄化部１５によって浄化された水道水である浄水を吐水口１０１に供給する給水管によって形成された流路である。吐水部１１の内部において当該給水管が引き回される経路（すなわち、第４流路Ｐ４の形状）は、浄化部１５から吐水口１０１に当該浄水を供給可能な経路であれば、如何なる経路であってもよい。第４流路Ｐ４は、前述の第４流路の一例である。
【００３８】
吐水口１０１は、水を吐水するために吐水部１１に形成された開口部である。吐水口１０１は、吐水部１１の長手方向における２つの端部のうち本体部１０と反対側の端部である先端に形成されている。吐水口１０１の形状は、如何なる形状であってもよい。吐水口１０１は、前述の吐水口の一例である。
【００３９】
切替部１０２は、吐水口１０１から吐水させる水を、第２流路Ｐ２によって供給された水道水と第４流路Ｐ４によって供給された浄水とのいずれかに切り替える。切替部１０２は、例えば、ユーザーにより回動させられる回動部を有し、当該回動部の回動に応じて、吐水口１０１と第２流路Ｐ２との間、又は吐水口１０１と第４流路Ｐ４との間のいずれか一方を塞ぎ、他方を開くことが可能な弁である。なお、切替部１０２は、吐水口１０１から吐水させる水を、第２流路Ｐ２によって供給された水道水と第４流路Ｐ４によって供給された浄水とのいずれかに切り替えることが可能な他の部材であってもよい。また、切替部１０２の形状は、如何なる形状であってもよい。切替部１０２は、前述の切替部の一例である。
【００４０】
給水栓１は、以上のような構成を有している。なお、給水栓１は、このような構成に加えて、他の部材を備える構成であってもよい。
【００４１】
＜測定装置１３の構成＞
ここで、図１に示した測定装置１３の構成について説明する。図１に示したように、測定装置１３は、例えば、第１流量検出部１３１と、第１制御装置１３２を備える。なお、測定装置１３は、第１流量検出部１３１と、第１制御装置１３２との両方に加えて、他の装置を備える構成であってもよい。
【００４２】
第１流量検出部１３１は、前述の水道水流量を検出する。第１流量検出部１３１は、検出した水道水流量を示す水道水流量情報を第１制御装置１３２に出力する。
【００４３】
第１制御装置１３２は、制御部２０１と、記憶部２０２と、通信部２０３を備える。
【００４４】
制御部２０１は、測定装置１３の全体を制御する。制御部２０１は、例えば、図示しないＣＰＵ（Central  Processing  Unit）が、記憶部２０２に記憶された各種のプログラムを実行することにより実現される。また、制御部２０１が有する機能のうちの一部又は全部は、ＬＳＩ（Large  Scale  Integration）、ＡＳＩＣ（Application  Specific  Integrated  Circuit）等のハードウェア機能部であってもよい。
【００４５】
制御部２０１は、第１流量検出部１３１から水道水流量情報を取得する。また、制御部２０１は、前述の圧力検出部１４から圧力情報を取得する。制御部２０１は、取得した水道水流量情報が示す水道水流量と、取得した圧力情報が示す圧力とに基づいて、前述の浄水流量を測定する。制御部２０１は、測定した浄水流量を示す浄水流量情報を記憶部２０２に記憶させる。また、制御部２０１は、記憶部２０２に記憶させた浄水流量情報が示す浄水流量の積算量を算出する。制御部２０１は、算出した積算量が予め決められた閾値以上であると判定した場合、浄化部１５の交換を促す交換促進情報を、通信部２０３を介して他の装置に出力する構成であってもよく、交換促進情報を、通信部２０３を介して他の装置に出力しない構成であってもよい。また、制御部２０１は、当該場合、算出した積算量を示す積算量情報を、通信部２０３を介して他の装置に出力する構成であってもよく、当該情報を、通信部２０３を介して他の装置に出力しない構成であってもよい。通信部２０３を介して制御部２０１が積算量情報を他の装置に出力する機能は、出力部の一例である。なお、当該機能は、制御部２０１と別の機能部として第１制御装置１３２に備えられる構成であってもよい。
【００４６】
記憶部２０２は、ＥＥＰＲＯＭ（Electrically  Erasable  Programmable  Read−Only  Memory）、フラッシュＥＥＰＲＯＭ、ＲＯＭ（Read−Only  Memory）、フラッシュＲＯＭ、ＲＡＭ（Random  Access  Memory）等を含む。なお、記憶部２０２は、第１制御装置１３２が備えるものに代えて、ＵＳＢ（Universal  Serial  Bus）等のデジタル入出力ポート等によって接続された外付け型の記憶装置であってもよい。記憶部２０２は、第１制御装置１３２が処理する各種の情報、各種のプログラム等を格納する。
【００４７】
通信部２０３は、例えば、ＵＳＢ等のデジタル入出力ポート、イーサネット（登録商標）ポート、Ｂｌｕｅｔｏｏｔｈ（登録商標）等の近距離無線通信用のポート等を含んで構成される。
【００４８】
＜測定装置が浄水流量を測定する処理＞
以下、図２を参照し、測定装置１３が浄水流量を測定する処理について説明する。図２は、測定装置１３が浄水流量を測定する処理の流れの一例を示す図である。ここで、以下では、一例として、測定装置１３が、電源をオンにされることによって、図２に示したフローチャートの処理が開始され、電源をオフにされるまでの間、当該処理を実行し続ける場合について説明する。
【００４９】
制御部２０１は、第１流量検出部１３１が検出した水道水流量を示す水道水流量情報を第１流量検出部１３１から取得する（ステップＳ１１０）。
【００５０】
次に、制御部２０１は、ステップＳ１１０において水道水流量情報を取得すると、次に、圧力検出部１４が検出した圧力を示す圧力情報を圧力検出部１４から取得する（ステップＳ１２０）。
【００５１】
次に、制御部２０１は、ステップＳ１１０において第１流量検出部１３１から取得した水道水流量情報が示す水道水流量と、ステップＳ１２０において圧力検出部１４から取得した圧力情報が示す圧力とに基づいて、吐水口１０１から吐水された水が浄水か否かを判定する（ステップＳ１３０）。
【００５２】
ここで、ステップＳ１３０の処理について説明する。ステップＳ１３０において、制御部２０１は、記憶部２０２に予め記憶された第１対応情報を記憶部２０２から読み出す。第１対応情報は、第１流路Ｐ１を流れる水道水の圧力と、当該圧力に応じた流量であって吐水口１０１から浄水が吐水された場合における水道水流量とが対応付けられた情報のことである。第１対応情報は、給水栓１の生産者によって記憶部２０２に予め記憶されている構成であってもよく、ユーザーによって記憶部２０２に記憶される構成であってもよく、インターネット等を介して更新される情報であってもよい。第１対応情報は、第１流路を流れる水道水の圧力と、第１流路を流れる水道水の圧力に応じた流量であって吐水口から浄水が吐水された場合における水道水流量とが対応付けられた情報の一例である。
【００５３】
制御部２０１は、記憶部２０２から読み出した第１対応情報と、ステップＳ１２０において圧力検出部１４から取得した圧力情報が示す圧力とに基づいて、当該圧力に対応付けられた水道水流量を特定する。制御部２０１は、（特定した水道水流量±当該水道水流量の１０％）の流量範囲を算出する。すなわち、浄水部１５における圧力損失は、十分に大きく、図３に示すように第２流路Ｐ２を経由した場合（シャワー）と浄化部１５を経た第４流路Ｐ４を経由した場合（浄水）において、同じ圧力にて水道水が第１流路Ｐ１に給水されると、流路によって得られる流量に著しい差が生じるため、浄水か否かの判定が可能となる。制御部２０１は、ステップＳ１１０において第１流量検出部１３１から取得した水道水流量情報が示す水道水流量が、算出した流量範囲内に含まれる場合、吐水口１０１から吐水された水が浄水であると判定する。一方、制御部２０１は、当該水道水流量が、算出した流量範囲内に含まれない場合、吐水口１０１から吐水された水が水道水であると判定する。（特定した水道水流量＋当該水道水流量の１０％）は、測定装置が導出した上限の一例である。また、（特定した水道水流量−当該水道水流量の１０％）は、測定装置が導出した下限の一例である。なお、上記の１０％は、１０％より少ない割合であってもよく、１０％より多い割合であってもよい。
【００５４】
このような判定の判定結果の妥当性は、図３及び図４に示した実験結果によって保証される。図３は、第１流路Ｐ１を流れる水道水の圧力と、第１流路Ｐ１を流れる水道水の圧力に応じた流量であって水道水が吐水口１０１から吐水された場合における水道水流量と、第１流路Ｐ１を流れる水道水の圧力に応じた流量であって吐水口１０１から浄水が吐水された場合における水道水流量とが対応付けられたテーブルである。また、図４は、図３に示したテーブルに基づくグラフの一例である。図４に示したグラフの横軸は、圧力を示す。また、当該グラフの縦軸は、流量を示す。図３及び図４に示したように、第１流路Ｐ１を流れる水道水のうちのある圧力に対応付けられた水道水流量であって吐水口１０１から浄水が吐水された場合における水道水流量±当該水道水流量の１０％の流量範囲には、当該圧力に対応付けられた水道水流量であって水道水が吐水口１０１から吐水された場合における水道水流量が含まれていない。これにより、制御部２０１は、第１対応情報と、圧力検出部１４によって検出された圧力と、第１流量検出部１３１によって検出された水道水流量とに基づいて、吐水口１０１から吐水された水が浄水であるか否かを判定することができる。なお、第１流路Ｐ１を流れる水道水の圧力に応じた流量であって吐水口１０１から浄水が吐水された場合における水道水流量は、浄化部１５において水道水を浄化する濾材の種類、形状、大きさ等に応じて異なる。
【００５５】
吐水口１０１から吐水された水が浄水ではない（すなわち、水道水である）と判定した場合（ステップＳ１３０−ＮＯ）、制御部２０１は、ステップＳ１１０に遷移し、第１流量検出部１３１が水道水流量を検出するまで再び待機する。一方、吐水口１０１から吐水された水が浄水であると判定した場合（ステップＳ１３０−ＹＥＳ）、制御部２０１は、ステップＳ１１０において第１流量検出部１３１から取得した水道水流量情報が示す水道水流量を、浄水流量として測定（特定）する（ステップＳ１４０）。
【００５６】
次に、制御部２０１は、記憶部２０２に予め記憶された積算量情報を記憶部２０２から読み出す。積算量情報は、現在までに測定装置１３が特定した浄水流量の積算量を示す情報である。制御部２０１は、読み出した積算量情報が示す積算量に、ステップＳ１４０において特定した浄水流量を加算し、新たな積算量を算出する（ステップＳ１５０）。なお、積算量情報が示す積算量の初期値は、０リットルである。制御部２０１は、積算量情報が示す積算量を０リットルに初期化する操作（例えば、当該初期化を行うボタンの押下等）をユーザーから受け付けた場合、記憶部２０２に記憶された積算量情報が示す積算量を０リットルに初期化する。
【００５７】
次に、制御部２０１は、ステップＳ１５０において算出した積算量を示す積算量情報を、新たな積算量情報として記憶部２０２に記憶する（ステップＳ１６０）。そして、制御部２０１は、ステップＳ１１０に遷移し、第１流量検出部１３１が水道水流量を検出するまで再び待機する。
【００５８】
このように、測定装置１３は、第１流量検出部１３１により検出された水道水流量に基づいて、浄水流量を測定（特定）する。その結果、測定装置１３は、浄化部１５によって浄化された水道水の流量、すなわち浄水流量に基づいて、水道水が浄化部１５を通過した量の積算量を精度よく測定することができる。
【００５９】
＜第１実施形態の変形例＞
上記において説明した制御部２０１は、第１対応情報に基づいてステップＳ１３０の処理を行う構成に代えて、上記において説明した圧力検出部１４によって検出された圧力と第１対応情報とを用いることなく、ステップＳ１１０において第１流量検出部１３１から取得した水道水流量情報が示す水道水流量が、予め決められた流量範囲に含まれるか否かに基づいて、吐水口１０１から吐水された水が浄水であるか否かを判定する構成であってもよい。この場合、制御部２０１は、当該水道水流量が、当該流量範囲に含まれる場合、吐水口１０１から吐水された水が浄水であると判定する。一方、制御部２０１は、当該水道水流量が、当該流量範囲に含まれない場合、吐水口１０１から吐水された水が浄水ではない（すなわち、水道水である）と判定する。当該流量範囲は、例えば、水栓部１２の開度が最大であり、且つ、吐水口１０１から吐水された水が水道水である場合における水道水流量の５０％以下の範囲である。なお、当該流量範囲は、これに代えて、他の範囲であってもよい。これにより、測定装置１３は、第１対応情報に基づくステップＳ１３０の処理（すなわち、圧力検出部１４によって検出された圧力と、第１対応情報と、第１流量検出部１３１によって検出された水道水流量とに基づく処理）と比べて精度が低くなるが、水道水が浄化部１５を通過した量の積算量を、より単純な構成によって測定することができる。
【００６０】
また、上記において説明した制御部２０１は、第１対応情報に基づいてステップＳ１３０の処理を行う構成に代えて、上記において説明した第１対応情報を用いることなく、ステップＳ１２０において圧力検出部１４から取得した圧力情報が示す圧力に応じて水道水流量の上限及び下限を導出し、導出した上限から下限までの範囲内に、ステップＳ１１０において第１流量検出部１３１から取得した水道水流量情報が示す水道水流量が含まれる場合、吐水口１０１から吐水された水が浄水であると判定する構成であってもよい。この場合、制御部２０１は、記憶部２０２に予め記憶された第２対応情報を記憶部２０２から読み出す。第２対応情報は、第１流路Ｐ１を流れる水道水の圧力と、水道水流量の上限及び下限を示す情報とが対応付けられた情報のことである。第２対応情報は、給水栓１の生産者によって記憶部２０２に予め記憶されている構成であってもよく、ユーザーによって記憶部２０２に記憶される構成であってもよく、インターネット等を介して更新される情報であってもよい。また、制御部２０１は、機械学習のアルゴリズムと、ステップＳ１１０において第１流量検出部１３１から取得した水道水流量情報が示す水道水流量と、ステップＳ１２０において圧力検出部１４から取得した圧力情報が示す圧力と、ユーザーから受け付けた操作（例えば、当該水道水流量が浄水流量であるか否かを示す情報の入力操作等）とに基づいて、第２対応情報を生成する構成であってもよい。
【００６１】
また、上記において説明した制御部２０１は、第１対応情報に基づいてステップＳ１３０の処理を行う構成に代えて、記憶部２０２に予め記憶された第３対応情報を記憶部２０２から読み出し、読み出した第３対応情報と、水栓部１２の開度と、ステップＳ１１０において第１流量検出部１３１から取得した水道水流量情報が示す水道水流量とに基づいて吐水口１０１から吐水された水が浄水であるか否かを判定する構成であってもよい。第３対応情報は、水栓部１２の開度と、水栓部１２の開度に応じた流量であって吐水口１０１から浄水が吐水された場合における水道水流量とが対応付けられた情報のことである。この場合、給水栓１は、水栓部１２の開度を検出する開度検出部を備える。また、当該場合、給水栓１は、圧力検出部１４を備えない構成であってもよい。当該開度検出部は、水栓部１２の開度を検出し、検出した開度を示す開度情報を第１制御装置１３２に出力する。第３対応情報は、給水栓１の生産者によって記憶部２０２に予め記憶されている構成であってもよく、ユーザーによって記憶部２０２に記憶される構成であってもよく、インターネット等を介して更新される情報であってもよい。また、制御部２０１は、機械学習のアルゴリズムと、ステップＳ１１０において第１流量検出部１３１から取得した水道水流量情報が示す水道水流量と、当該開度検出部から取得した開度情報が示す開度と、ユーザーから受け付けた操作（例えば、当該水道水流量が浄水流量であるか否かを示す情報の入力操作等）とに基づいて、第３対応情報を生成する構成であってもよい。
【００６２】
また、給水栓１が上記の開度検出部を備える場合、制御部２０１は、当該開度検出部により検出された水栓部１２の開度に基づいて水栓部１２が開いたか否かを判定し、水栓部１２が開いたと判定した場合、第１流量検出部１３１によって検出された水道水流量を浄水流量として測定し始める構成であってもよい。すなわち、制御部２０１は、当該開度検出部により検出された水栓部１２の開度が０より大きい場合、浄水流量の測定を開始する構成であってもよい。
【００６３】
また、給水栓１が上記の開度検出部を備える場合、制御部２０１は、当該開度検出部により検出された開度に基づいて吐水口１０１から吐水された水が浄水であるか否かを判定する構成であってもよい。この場合、制御部２０１は、記憶部２０２に予め記憶された第４対応情報を記憶部２０２から読み出す。第４対応情報は、当該開度検出部により検出された開度と、予め決められた流量範囲とが対応付けられた情報のことである。すなわち、制御部２０１は、第４対応情報に基づいて、当該開度検出部により検出された開度に対応付けられた流量範囲を特定し、第１流量検出部１３１により検出された水道水流量が、特定した流量範囲内に含まれている場合、当該水道水流量を浄水流量として測定（特定）する構成であってもよい。なお、第４対応情報は、給水栓１の生産者によって記憶部２０２に予め記憶されている構成であってもよく、ユーザーによって記憶部２０２に記憶される構成であってもよく、インターネット等を介して更新される情報であってもよい。また、制御部２０１は、機械学習のアルゴリズムと、当該開度検出部により検出された開度と、ステップＳ１１０において第１流量検出部１３１から取得した水道水流量情報が示す水道水流量と、ユーザーから受け付けた操作（例えば、当該水道水流量が浄水流量であるか否かを示す情報の入力操作等）とに基づいて、第４対応情報を生成する構成であってもよい。
【００６４】
また、上記において説明した給水栓１は、測定装置１３によって測定された浄水流量を示す情報をユーザーに対して報知する報知部を備える構成であってもよい。報知部は、例えば、当該情報を表示するディスプレイであってもよく、当該情報を報知するＬＥＤ（Light  Emitting Diode）であってもよく、当該情報を報知する他の部材であってもよい。
【００６５】
また、上記において説明した給水栓１は、測定装置１３によって測定された浄水流量を示す情報を他の装置（例えば、多機能携帯電話端末（スマートフォン）等）に出力する出力部を備える構成であってもよい。当該出力部は、例えば、通信部２０３を介して当該情報を当該他の装置に出力する。なお、当該出力部は、当該情報に応じて、浄化部１５を販売する業者に交換用の浄化部１５の発注を行う構成であってもよい。
【００６６】
上記において説明した給水栓１は、測定装置１３を本体部１０が備える構成に代えて、吐水部１１が備える構成であってもよい。例えば、給水栓１は、吐水部１１が備える第４流路Ｐ４における位置であって浄化部１５と吐水口１０１との間の位置に測定装置１３が設けられる構成であってもよい。この場合、測定装置１３は、第１流量検出部１３１によって第４流路Ｐ４を流れる浄水の流量を検出可能である。このため、当該場合、給水栓１は、圧力検出部１４を備えない構成であってもよい。ただし、当該場合、吐水部１１の大きさは、増大してしまう。これは、吐水部１１において、測定装置１３を設置する空間と、測定装置１３に接続される各種の配線を取り回す空間との少なくとも一方を確保する必要があるためである。すなわち、給水栓１では、測定装置１３を本体部１０が備えることによって、吐水部１１の大型化を抑制することができ、且つ、水道水が浄化部１５を通過した量の積算量を精度よく測定することができる。
【００６７】
ここで、給水栓１と異なる給水栓Ｘ（例えば、従来の給水栓）であって水道水を浄化する浄化部を備える給水栓Ｘでは、浄化部よりも上流側において流路が１つしかない。このため、給水栓Ｘでは、当該流路に流量計を設置した場合、給水栓Ｘの吐水口から水道水が流れた際に当該流量計が計測する流量と、給水栓Ｘの吐水口から浄水が流れた際に当該流量計が計測する流量とのそれぞれを区別することが困難であった。一方、浄化部よりも下流に位置する流路のうち浄水が流れる流路に流量計を設置した場合、給水栓Ｘが備える部位のうち浄化部とともに流量計を備える部位の大きさが増大してしまう。また、給水栓Ｘには、当該部位を給水栓Ｘの本体から切り離して使用することが可能なものが存在する。ここで、当該部位において、流路に沿ってケーブルを引き回すこと、及び当該部位に電池を搭載させることは、ケーブル又は流路に不具合を生じさせる場合がある。このため、このような給水栓Ｘでは、流量計が計測した流量を示す情報を他の装置に出力することが困難な場合があった。このような事情から、給水栓１では、測定装置１３を本体部１０が備えることが望ましい。これにより、給水栓１は、吐水部１１の大きさの増大を抑制しつつ、水道水が浄化部１５を通過した量の積算量を精度よく測定することができる。
【００６８】
また、上記において説明した給水栓１は、切替部１０２によって吐水口１０１から吐水させる水が、第２流路Ｐ２によって供給された水道水と第４流路Ｐ４によって供給された浄水とのいずれに切り替えられているかを検出する切替検出部を備える構成であってもよい。この場合、測定装置１３は、当該切替検出部によって検出された結果に基づいて、第１流量検出部１３１によって検出された水道水流量を浄水流量として測定する構成であってもよい。この場合、例えば、測定装置１３は、切替部１０２によって吐水口１０１から吐水させる水が、第４流路Ｐ４によって供給された浄水に切り替えられていることを当該切替検出部が検出した場合、第１流量検出部１３１によって検出された水道水流量を浄水流量として測定する。
ここで、給水栓１が当該切替検出部を備える場合、測定装置１３と当該切替検出部とは、通信可能に接続される。測定装置１３と当該切替検出部とは、例えば、配線を介した有線通信によって通信可能に接続される構成であってもよく、無線通信によって通信可能に接続される構成であってもよい。しかしながら、例えば、給水栓１がスパウトイン型の給水栓であるような場合、測定装置１３と当該切替検出部とは、無線通信によって接続されることが望ましい。これは、スパウトイン型の給水栓において、吐水部（この一例において、吐水部１１）が引出式シャワー構造となっていることが多いためである。この場合において測定装置１３と当該切替検出部とに有線通信を行わせる場合、この有線通信に用いられる配線が、本体部１０と吐水部とを繋ぐフレキシブルホース内を通ることになる。このため、当該配線は、フレキシブルホースに対して繰り返し実行される屈曲によって断線してしまう虞がある。このような理由から、測定装置１３と当該切替検出部とは、無線通信によって接続されることが望ましい。測定装置１３と当該切替検出部とを接続する無線通信は、例えば、省電力型のＷｉ−Ｆｉ（登録商標）、Ｂｌｕｅｔｏｏｔｈ（登録商標）等の近距離無線通信であってもよく、既知の他の無線通信であってもよく、これから開発される他の無線通信であってもよい。また、測定装置１３と当該切替検出部とが無線通信によって接続される場合、切替検出部は、測定装置１３と無線通信を行う通信部を備える。当該通信部への給電は、給水栓１において水道水が通る流路のうちの予め決められた位置に設けられた小型の水力発電装置によって行われてもよく、吐水部の振動又は揺動によって発電する発電装置によって行われてもよく、他の発電装置によって行われてもよい。また、当該給電は、切替部１０２によって吐水口１０１から吐水させる水が、第４流路Ｐ４によって供給された浄水に当該切替検出部によって切り替えられた際に行われてもよく、当該切替検出部による切り替えと無関係行われてもよい。
【００６９】
なお、上記において説明した第１流量検出部１３１は、本体部１０及び吐水部１１の外側に設置される構成であってもよい。
また、上記において説明した測定装置１３は、本体部１０及び吐水部１１の外側に設置される構成であってもよい。
【００７０】
以上説明したように、給水栓（第１実施形態において、給水栓１）は、水を吐水する吐水口（第１実施形態において、吐水口１０１）を備えた吐水部（第１実施形態において、吐水部１１）と、吐水部が設けられた本体部（第１実施形態において、本体部１０）とを備える。また、本体部は、給水管から供給された水である水道水を吐水部に供給する第１流路（第１実施形態において、第１流路Ｐ１）を備える。また、吐水部は、水道水を浄化する浄化部（第１実施形態において、浄化部１５）と、第１流路から供給された水道水を吐水口に供給する第２流路（第１実施形態において、第２流路Ｐ２）と、第１流路から供給された水道水を浄化部に供給する第３流路（第１実施形態において、第３流路Ｐ３）と、浄化部によって浄化された水道水である浄水を吐水口に供給する第４流路（第１実施形態において、第４流路Ｐ４）と、吐水口から吐水させる水を、第２流路によって供給された水道水と第４流路によって供給された浄水とのいずれかに切り替える切替部（第１実施形態において、切替部１０２）と、を備える。また、給水栓は、吐水口から吐水された浄水の流量である浄水流量を測定する測定装置（第１実施形態において、測定装置１３）を備える。これにより、給水栓は、水道水が浄化部を通過した量の積算量を精度よく測定することができる。
【００７１】
また、給水栓では、本体部は、測定装置を備える。また、測定装置は、第１流路を流れる水道水の流量である水道水流量を検出する第１流量検出部（第１実施形態において、第１流量検出部１３１）と、第１流量検出部により検出された水道水流量に基づいて、浄水流量を測定する第１制御装置（第１実施形態において、第１制御装置１３２）と、を備える。これにより、給水栓は、本体部が備える測定装置により測定された浄水流量に基づいて、水道水が浄化部を通過した量の積算量を精度よく測定することができる。
【００７２】
また、給水栓では、本体部は、第１流路を流れる水道水の圧力を検出する圧力検出部（第１実施形態において、圧力検出部１４）を備える。また、第１制御装置は、圧力検出部によって検出された圧力と、第１流量検出部によって検出された水道水流量とに基づいて、吐水口から吐水された水が浄水であるか否かを判定し、当該水が浄水であると判定した場合、第１流量検出部によって検出された水道水流量を浄水流量として測定する。これにより、給水栓は、圧力検出部によって検出された圧力と、第１流量検出部によって検出された水道水流量とに基づいて、水道水が浄化部を通過した量の積算量を精度よく測定することができる。
【００７３】
また、給水栓では、第１制御装置は、第１流路を流れる水道水の圧力と、第１流路を流れる水道水の圧力に応じた流量であって吐水口から浄水が吐水された場合における水道水流量とが対応付けられた情報（第１実施形態において、第１対応情報）と、第１流量検出部によって検出された水道水流量と、圧力検出部によって検出された圧力と、に基づいて吐水口から吐水された水が浄水であるか否かを判定する。これにより、給水栓は、当該情報、当該水道水流量と、当該圧力とに基づいて、水道水が浄化部を通過した量の積算量を精度よく測定することができる。
【００７４】
また、給水栓では、第１制御装置は、圧力検出部によって検出された圧力に応じて水道水流量の上限及び下限を導出し、導出した上限から下限までの範囲内に、第１流量検出部によって検出された水道水流量が含まれる場合、吐水口から吐水された水が浄水であると判定し、第１流量検出部によって検出された水道水流量を浄水流量として測定する。これにより、給水栓は、導出した上限及び下限に基づいて、水道水が浄化部を通過した量の積算量を精度よく測定することができる。
【００７５】
また、給水栓では、本体部は、第１流路から第２流路及び第３流路への水道水の流れを塞ぐことが可能な水栓部（第１実施形態において、水栓部１２）と、水栓部の開度を検出する開度検出部と、を備える。また、第１制御装置は、当該開度と、当該開度に応じた流量であって吐水口から浄水が吐水された場合における水道水流量とが対応付けられた情報（第１実施形態において、第３対応情報）と、開度検出部により検出された当該開度と、第１流量検出部により検出された水道水流量と、に基づいて吐水口から吐水された水が浄水であるか否かを判定する。これにより、給水栓は、開度検出部により検出された当該開度と、第３対応情報とに基づいて、水道水が浄化部を通過した量の積算量を精度よく測定することができる。
【００７６】
また、給水栓では、第１制御装置は、開度検出部により検出された開度に基づいて水栓部が開いたか否かを判定し、水栓部が開いたと判定した場合、第１流量検出部によって検出された水道水流量を浄水流量として測定し始める。これにより、給水栓は、ユーザーが水栓部を開くタイミングと、浄水流量の測定を開始するタイミングとを一致させることができ、その結果、水道水が浄化部を通過した量の積算量を精度よく測定することができる。
【００７７】
また、給水栓１では、吐水部は、切替部によって吐水口から吐水させる水が、第２流路によって供給された水道水と第４流路によって供給された浄水とのいずれに切り替えられているかを検出する切替検出部を備える。また、第１制御装置は、切替検出部によって検出された結果に基づいて、第１流量検出部によって検出された水道水流量を浄水流量として測定する。これにより、給水栓は、切替検出部によって検出された結果に基づいて、水道水が浄化部を通過した量の積算量を精度よく測定することができる。
【００７８】
また、給水栓では、吐水部又は本体部は、測定装置によって測定された浄水流量を示す情報を報知する報知部を備える。これにより、給水栓は、当該情報をユーザーに報せることができる。
【００７９】
また、給水栓では、吐水部又は本体部は、測定装置によって測定された浄水流量を示す情報を他の装置に出力する出力部を備える。これにより、給水栓は、当該情報に基づく処理を他の装置に行わせることができる。
【００８０】
＜第２実施形態＞
以下、本発明の第２実施形態について説明する。なお、第２実施形態では、第１実施形態と同様な構成部に対して同じ符号を付して説明を省略する。図５は、第２実施形態に係る給水栓２の構成の一例を示す図である。
【００８１】
第２実施形態に係る給水栓２は、水を浄化する浄水器と一体に構成された給水栓である。具体的には、給水栓２は、本体部２０と、本体部２０に設けられた吐水部２１を備える。また、本体部２０は、第１流路Ｐ１と、水栓部１２を備える。また、吐水部２１は、浄化部１５と、第２流路Ｐ２と、第３流路Ｐ３と、第４流路Ｐ４と、吐水口１０１と、切替部１０２と、測定装置２３を備える。
【００８２】
本体部２０は、例えば、円筒形状の筐体を有する。本体部２０は、当該筐体の内側に、第１流路Ｐ１を備える。なお、当該筐体の形状は、円筒形状に代えて、直方体形状等の他の形状であってもよい。本体部２０は、前述の本体部の一例である。
【００８３】
吐水部２１は、給水栓２が有する部材のうち水道水又は浄水を吐水する部材である。前述した通り、吐水部２１は、本体部２０に設けられる。吐水部２１は、前述の吐水部の一例である。
【００８４】
測定装置２３は、水栓部１２が開かれた場合に第４流路Ｐ４を流れる浄水の流量を、前述の浄水流量として測定する。測定装置２３は、測定した浄水流量を示す浄水流量情報を記憶する。測定装置２３は、前述の測定装置の一例である。
【００８５】
測定装置２３は、例えば、第２流量検出部２３１と、第２制御装置２３２を備える。なお、測定装置２３は、第２流量検出部２３１と、第２制御装置２３２との両方に加えて、他の装置を備える構成であってもよい。
【００８６】
第２流量検出部２３１は、第４流路Ｐ４を流れる浄水の流量を、前述の浄水流量として検出する。第２実施形態では、第２流量検出部２３１は、第４流路Ｐ４に取り付けられる。第２流量検出部２３１は、検出した浄水流量を示す浄水流量情報を第２制御装置２３２に出力する。なお、第２流量検出部２３１は、第３流路Ｐ３に取り付けられる構成であってもよい。この場合、第２流量検出部２３１は、第３流路Ｐ３を流れる浄化部１５に供給される水道水の流量を、浄水流量として検出する。これは、第３流路Ｐ３に流れる水道水の流量と、第４流路Ｐ４に流れる浄水の流量とが同じ（又はほぼ同じ）だからである。
【００８７】
第２制御装置２３２は、制御部３０１と、記憶部３０２と、通信部３０３を備える。
【００８８】
制御部３０１は、測定装置２３の全体を制御する。制御部３０１は、例えば、図示しないＣＰＵが、記憶部３０２に記憶された各種のプログラムを実行することにより実現される。また、制御部３０１が有する機能のうちの一部又は全部は、ＬＳＩ、ＡＳＩＣ等のハードウェア機能部であってもよい。
【００８９】
制御部３０１は、第２流量検出部２３１から浄水流量情報を取得する。制御部３０１は、取得した浄水流量情報を記憶部２０２に記憶させる。また、制御部３０１は、記憶部３０２に記憶させた浄水流量情報が示す浄水流量の積算量を算出する。制御部３０１は、算出した積算量が予め決められた閾値以上であると判定した場合、浄化部１５の交換を促す交換促進情報を、通信部３０３を介して他の装置に出力する構成であってもよく、交換促進情報を、通信部３０３を介して他の装置に出力しない構成であってもよい。また、制御部３０１は、当該場合、算出した積算量を示す積算量情報を、通信部３０３を介して他の装置に出力する構成であってもよく、当該情報を、通信部３０３を介して他の装置に出力しない構成であってもよい。通信部３０３を介して制御部３０１が積算量情報を他の装置に出力する機能は、出力部の一例である。なお、当該機能は、制御部３０１と別の機能部として第２制御装置２３２に備えられる構成であってもよい。
【００９０】
記憶部３０２は、ＥＥＰＲＯＭ、フラッシュＥＥＰＲＯＭ、ＲＯＭ、フラッシュＲＯＭ、ＲＡＭ等を含む。なお、記憶部３０２は、第２制御装置２３２が備えるものに代えて、ＵＳＢ等のデジタル入出力ポート等によって接続された外付け型の記憶装置であってもよい。記憶部３０２は、第２制御装置２３２が処理する各種の情報、各種のプログラム等を格納する。
【００９１】
通信部３０３は、例えば、ＵＳＢ等のデジタル入出力ポート、イーサネット（登録商標）ポート、Ｂｌｕｅｔｏｏｔｈ（登録商標）等の近距離無線通信用のポート等を含んで構成される。
【００９２】
＜測定装置が浄水流量を測定する処理＞
以下、図６を参照し、測定装置２３が浄水流量を測定する処理について説明する。図６は、測定装置２３が浄水流量を測定する処理の流れの一例を示す図である。ここで、以下では、一例として、測定装置２３が、電源をオンにされることによって、図６に示したフローチャートの処理が開始され、電源をオフにされるまでの間、当該処理を実行し続ける場合について説明する。なお、図６に示したステップＳ１６０の処理は、図２に示したステップＳ１６０の処理と同様の処理であるため、説明を省略する。
【００９３】
制御部３０１は、第２流量検出部２３１が検出した浄水流量を示す浄水流量情報を第２流量検出部２３１から取得する（ステップＳ２１０）。
【００９４】
次に、制御部３０１は、記憶部３０２に予め記憶された積算量情報を記憶部３０２から読み出す。制御部３０１は、読み出した積算量情報が示す積算量に、ステップＳ２１０において第２流量検出部２３１から取得した浄水流量情報が示す浄水流量を加算し、新たな積算量を算出する（ステップＳ２２０）。なお、制御部３０１は、積算量情報が示す積算量を０リットルに初期化する操作（例えば、当該初期化を行うボタンの押下等）をユーザーから受け付けた場合、記憶部３０２に記憶された積算量情報が示す積算量を０リットルに初期化する。
【００９５】
このように、測定装置２３は、第４流路Ｐ４を流れる浄水の流量、すなわち、浄水流量を測定する。その結果、測定装置２３は、浄化部１５によって浄化された水道水の流量、すなわち浄水流量に基づいて、水道水が浄化部１５を通過した量の積算量を精度よく測定することができる。
【００９６】
ここで、図７は、測定装置２３を備える吐水部２１の外観の一例を示す図である。図７に示した例では、吐水部２１は、突出部分２１１を有する。突出部分２１１は、吐水部２１の先端に設けられ、吐水部２１の長手方向と直交する方向に吐水部２１から突出した部分のことである。当該例では、突出部分２１１は、吐水口１０１から水が吐水される方向と重力方向とが一致し、且つ、切替部１０２から本体部２０に向かう方向に沿って吐水部２１を見た場合において、吐水部２１から右側に向かって突出している。なお、突出部分２１１は、当該場合において吐水部２１から上側に向かって突出する構成であってもよく、当該場合において吐水部２１から左側に向かって突出する構成であってもよく、当該場合において吐水部２１から他の方向に向かって突出する構成であってもよい。また、突出部分２１１は、図７に示した切替部１０２が設けられている位置に設けられる構成であってもよい。この場合、切替部１０２は、吐水部２１の先端において他の位置に設けられる。
【００９７】
突出部分２１１には、測定装置２３が備える第２制御装置２３２が内蔵される。この際、第２制御装置２３２は、水密構造を有するようにユニット化されていることが望ましい。これにより、給水栓２は、水と接触してしまう可能性の高い吐水部２１の先端側に第２制御装置２３２が位置していたとしても、第２制御装置２３２に水が接触してしまうことを抑制することができる。その結果、給水栓２は、例えば、水との接触によって第２制御装置２３２が故障してしまうことを抑制することができる。また、給水栓２は、このようなユニット化を行うことによって、第２制御装置２３２の防水構造を簡素化することができるとともに、第２制御装置２３２の防水の信頼性を向上させることができる。
【００９８】
また、第２制御装置２３２が突出部分２１１に内蔵されている場合、第２制御装置２３２は、第２制御装置２３２とともに突出部分２１１に内蔵される電池等のバッテリーによって駆動することが望ましい。これは、第２制御装置２３２に電力を供給する配線を、吐水部２１の内側から本体部２０に向かって引き回した場合、漏電、断線等の不具合が生じてしまう虞があるためである。突出部分２１１に当該バッテリーが内蔵されている場合、突出部分２１１は、当該バッテリーを交換するための図示しない蓋を有する。給水栓２では、当該蓋を開くと突出部分２１１の内側と外側とを繋ぐ開口が露出する。当該蓋は、給水栓２の美観的観点から、吐水口１０１から水が吐水される方向と重力方向とが一致し、且つ、切替部１０２から本体部２０に向かう方向に沿って吐水部２１を見た場合において、突出部分２１１の下面に設けられることが望ましい。なお、当該蓋は、当該場合において、突出部分２１１の他の面に設けられる構成であってもよい。
【００９９】
なお、第２制御装置２３２は、第４流路Ｐ４を流れる浄水の流量を検出するために第２流量検出部２３１が備える羽根車によって発電された電力によって駆動する構成であってもよい。この場合、給水栓２は、当該バッテリーを備える必要がなく、小型化することができる。
【０１００】
また、給水栓２は、お湯を吐水口１０１から吐水する場合がある。この場合、第２制御装置２３２にお湯から熱が伝導してしまうと、第２制御装置２３２が故障してしまう可能性が生じる。第２制御装置２３２が突出部分２１１に内蔵されていることによって、給水栓２は、第２制御装置２３２を第４流路Ｐ４から離すことができ、その結果、第２制御装置２３２にお湯から熱が伝導してしまうことを抑制することができる。また、第２制御装置２３２が突出部分２１１に内蔵されていることによって、給水栓２は、内部に生じる結露によって第２制御装置２３２が故障してしまうことを抑制することができる。また、給水栓２は、第２制御装置２３２が水密構造でユニット化されていることによって、吐水口１０１から吐水されたお湯の湯気によって、第２制御装置２３２が故障してしまうことを抑制することができる。
【０１０１】
また、給水栓２では、第２制御装置２３２は、第２制御装置２３２が算出した積算量を表示するための表示部を備える構成であってもよい。この場合、当該表示部は、例えば、視認性、操作性等の観点から、切替部１０２から本体部２０に向かう方向に沿って吐水部２１を見た場合において、突出部分２１１の上面に設けられることが望ましい。図７に示したディスプレイＤは、当該表示部の一例である。なお、当該表示部は、当該場合において、突出部分２１１の他の面に設けられる構成であってもよい。また、当該表示部は、例えば、液晶ディスプレイ等であるが、これに限られるわけではない。
【０１０２】
また、給水栓２では、第２制御装置２３２は、通信タッチ部を備える構成であってもよい。通信タッチ部は、近距離無線通信において通信する対象となる端末（例えば、多機能携帯電話端末（スマートフォン）、タブレット端末等）が第２制御装置２３２と通信を行う場合において、当該端末がかざされる（又は接触させられる）部材のことである。第２制御装置２３２は、当該端末が通信タッチ部にかざされた場合、例えば、第２制御装置２３２が算出した積算量を示す情報を当該端末に出力し、当該情報を当該端末に表示させる。また、第２制御装置２３２は、当該場合、当該情報を他の装置へ出力するように当該端末を制御する構成であってもよく、当該情報に代えて、又は、当該情報に加えて、他の情報を当該端末に表示させる構成であってもよい。第２制御装置２３２が当該通信タッチ部を備える場合、当該通信タッチ部は、例えば、視認性、操作性等の観点から、切替部１０２から本体部２０に向かう方向に沿って吐水部２１を見た場合において、突出部分２１１の上面に設けられることが望ましい。なお、当該表示部は、当該場合において、突出部分２１１の他の面に設けられる構成であってもよい。また、当該表示部は、例えば、液晶ディスプレイ等であるが、これに限られるわけではない。
【０１０３】
なお、上記において説明した給水栓２は、測定装置２３が備える第２流量検出部２３１が吐水部２１に備えられ、測定装置２３が備える第２制御装置２３２が本体部２０に備えられる構成であってもよい。この場合、第２流量検出部２３１は、例えば、近距離無線通信等の無線通信によって浄水流量情報を第２制御装置２３２に出力する。これにより、給水栓２は、吐水部２１の大きさの増大を抑制しつつ、浄水流量をより高い精度で測定することができ、且つ、吐水部２１の内部に引き回される配線を少なくすることができる。
また、上記において説明した給水栓２では、測定装置２３は、突出部分２１１に内蔵される構成に代えて、吐水部２１の内側において第２流量検出部２３１によって第４流路Ｐ４を流れる浄水の浄水流量を測定可能であれば、如何なる位置に備えられてもよい。
【０１０４】
以上説明したように、給水栓（第２実施形態において、給水栓２）は、水を吐水する吐水口（第２実施形態において、吐水口１０１）を備えた吐水部（第２実施形態において、吐水部２１）と、吐水部が設けられた本体部（第２実施形態において、本体部２０）とを備える。また、本体部は、給水管から供給された水である水道水を吐水部に供給する第１流路（第２実施形態において、第１流路Ｐ１）を備える。また、吐水部は、水道水を浄化する浄化部（第２実施形態において、浄化部１５）と、第１流路から供給された水道水を吐水口に供給する第２流路（第２実施形態において、第２流路Ｐ２）と、第１流路から供給された水道水を浄化部に供給する第３流路（第２実施形態において、第３流路Ｐ３）と、浄化部によって浄化された水道水である浄水を吐水口に供給する第４流路（第２実施形態において、第４流路Ｐ４）と、吐水口から吐水させる水を、第２流路によって供給された水道水と第４流路によって供給された浄水とのいずれかに切り替える切替部（第２実施形態において、切替部１０２）と、を備える。また、給水栓は、吐水口から吐水された浄水の流量である浄水流量を測定する測定装置（第２実施形態において、測定装置２３）を備える。これにより、給水栓は、水道水が浄化部を通過した量の積算量を精度よく測定することができる。
【０１０５】
また、給水栓では、吐水部は、測定装置を備え、測定装置は、第４流路を流れる浄水の流量である浄水流量を検出する第２流量検出部（第２実施形態において、第２流量検出部２３１）を備える。これにより、給水栓は、水道水が浄化部を通過した量の積算量を、より高い精度で測定することができる。
【０１０６】
また、給水栓では、本体部は、第２流量検出部から浄水流量を示す浄水流量情報を取得する第２制御装置であって水密構造を有するユニット化された第２制御装置（第２実施形態では、第２制御装置２３２）を備える。これにより、給水栓は、第２制御装置に水が接触してしまうことを抑制することができる。
【０１０７】
また、給水栓では、吐水部は、第２流量検出部から浄水流量を示す浄水流量情報を取得する第２制御装置を備える。これにより、給水栓は、吐水部の内側を通る配線を少なくすることができる。
【０１０８】
以上、この発明の実施形態を、図面を参照して詳述してきたが、具体的な構成はこの実施形態に限られるものではなく、この発明の要旨を逸脱しない限り、変更、置換、削除等されてもよい。
【０１０９】
また、以上に説明した装置（例えば、第１制御装置１３２、第２制御装置２３２）における任意の構成部の機能を実現するためのプログラムを、コンピューター読み取り可能な記録媒体に記録し、そのプログラムをコンピューターシステムに読み込ませて実行するようにしてもよい。なお、ここでいう「コンピューターシステム」とは、ＯＳ（Operating  System）や周辺機器等のハードウェアを含むものとする。また、「コンピューター読み取り可能な記録媒体」とは、フレキシブルディスク、光磁気ディスク、ＲＯＭ、ＣＤ（Compact  Disk）−ＲＯＭ等の可搬媒体、コンピューターシステムに内蔵されるハードディスク等の記憶装置のことをいう。さらに「コンピューター読み取り可能な記録媒体」とは、インターネット等のネットワークや電話回線等の通信回線を介してプログラムが送信された場合のサーバーやクライアントとなるコンピューターシステム内部の揮発性メモリー（ＲＡＭ）のように、一定時間プログラムを保持しているものも含むものとする。
【０１１０】
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【符号の説明】
【０１１１】
１、２…給水栓、１０、２０…本体部、１１、２１…吐水部、１２…水栓部、１３、２３…測定装置、１４…圧力検出部、１５…浄化部、１０１…吐水口、１０２…切替部、１３１…第１流量検出部、１３２…第１制御装置、２０１、３０１…制御部、２０２、３０２…記憶部、２０３、３０３…通信部、２３１…第２流量検出部、２３２…第２制御装置、Ｐ１…第１流路、Ｐ２…第２流路、Ｐ３…第３流路、Ｐ４…第４流路
【図１】
2020105735.tif 000003
【図２】
2020105735.tif 000004
【図３】
2020105735.tif 000005
【図４】
2020105735.tif 000006
【図５】
2020105735.tif 000007
【図６】
2020105735.tif 000008
【図７】
2020105735.tif 000009